(57)【要約】【課題】複数部位の連続検査を支援する検査支援装置において、検査漏れを防止する。【解決手段】検査支援装置は、検査支援画面３２の表示及び更新を行うことによってＦＡＳＴの支援を行う。検査支援画面３２では、シェーマ画像７０に付されたハッチングによりＦＡＳＴで検査すべき６つの部位が示される他、これら６つの部位に対応する実行状況表示部７２ａ〜７２ｆが設けられ、対応する部位と矢印の指標で連結されている。実行状況表示部７２ａ〜７２ｆは、対応する部位が未検査の状態では、未検査であることを示すメッセージが表示される。検査を行う部位に対応する実行状況表示部の検査部位指定ボタン７４を操作し、超音波検査装置において検査を行うと、この検査において取得された超音波画像が、検査部位指定ボタン７４の設けられた実行状況表示部に表示されることによって検査支援画面３２が更新される。【選択図】図６
2015029619.tif 000002
【特許請求の範囲】
【請求項１】
医療検査を支援する検査支援装置において、
予め決められた複数の検査部位について検査が実行されたか否かを表す実行状況の入力を受け付ける実行状況受付部と、
人体の模式図であるシェーマ画像であり、前記複数の検査部位の位置がマークされたシェーマ画像と、前記シェーマ画像上の前記各検査部位のそれぞれに対応して設けられ、前記実行状況を表示する実行状況表示部とを有する検査支援画面をディスプレイに表示する表示制御部であり、前記実行状況受付部が受け付けた前記実行状況に基づいて前記実行状況表示部の表示内容を更新する表示制御部と、
を備えていることを特徴とする検査支援装置。
【請求項２】
前記医療検査は、検査結果を出力する医療機器を用いて行われる医療検査であることを特徴とする請求項１記載の検査支援装置。
【請求項３】
前記実行状況受付部は、前記実行状況として前記検査結果を受付可能であり、
前記表示制御部は、複数の前記実行状況表示部のうち、検査が実行された検査部位に対応する前記実行状況表示部に、前記検査結果を表示することを特徴とする請求項２記載の検査支援装置。
【請求項４】
前記実行状況表示部は、前記検査結果の表示の有無により、前記検査が実行されたか否かを表示することを特徴とする請求項３記載の検査支援装置。
【請求項５】
前記表示制御部は、複数の前記実行状況表示部のうち、検査が実行されていない未検査の検査部位に対応する前記実行状況表示部に、未検査である旨の情報を表示することを特徴とする請求項１〜４のいずれか１項に記載の検査支援装置。
【請求項６】
前記複数の検査部位について実行する順番が決められている場合において、
前記実行状況表示部には、前記順番を表す番号が表示されることを特徴とする請求項１〜５のいずれか１項に記載の検査支援装置。
【請求項７】
前記表示制御部は、前記複数の検査部位、及び前記複数の検査部位に対応する複数の前記実行状況表示部のすべてを一覧できる状態で前記検査支援画面を前記ディスプレイに表示することを特徴とする請求項１〜６のいずれか１項に記載の検査支援装置。
【請求項８】
前記医療機器は、前記患者の体に接触させる超音波プローブを有し、前記超音波プローブが検出する信号に基づいて超音波画像を生成し、前記超音波画像を前記検査結果として出力することが可能な超音波検査装置であり、
前記検査部位は、前記超音波プローブを接触させる部位であることを特徴とする請求項１〜７のいずれか１項に記載の検査支援装置。
【請求項９】
前記超音波検査装置を用いて、迅速簡易超音波検査法であるＦＡＳＴを行う際に使用されることを特徴とする請求項８記載の検査支援装置。
【請求項１０】
前記複数の検査部位は、前記ＦＡＳＴにおいて、予め決められた、心膜腔、モリソン窩、右胸腔、脾周囲、左胸腔、ダグラス窩の６箇所であることを特徴とする請求項９記載の検査支援装置。
【請求項１１】
前記検査支援画面を所定の配信先に配信する配信部を備えたことを特徴とする請求項１〜１０いずれか１項に記載の検査支援装置。
【請求項１２】
前記所定の配信先から送信された前記検査に関する支援情報を受信する受信部を備えたことを特徴とする請求項１１記載の検査支援装置。
【発明の詳細な説明】
【技術分野】
【０００１】
本発明は、医療検査の支援を行う検査支援装置に関するものである。
【背景技術】
【０００２】
医療検査を行う医療検査装置の操作方法をガイダンスするなど、医療検査の支援を行う検査支援装置が知られている（例えば、特許文献１〜３）。特許文献１〜３には、医療検査装置として超音波検査装置が記載されており、超音波検査装置に検査支援機能が内蔵されている。
【０００３】
超音波検査装置は、超音波画像を得るための超音波プローブを有しており、被検者の検査部位に対して超音波プローブを当てて検査部位の超音波画像を生成、表示するものである。検査部位によっては、超音波プローブの当て方（位置や方向など）に熟練を要する場合もある。そのため、特許文献１〜３の超音波検査装置には、ディスプレイに超音波プローブの当て方に関する検査支援画面を表示する検査支援画面表示機能が設けられている。
【０００４】
特許文献１の検査支援画面には、人体の模式図（シェーマ）に検査部位を表すマークを付した位置案内画像が表示されるとともに、超音波プローブを当てる方向の案内が表示される。特許文献２及び３の検査支援画面には、超音波プローブを当てる方向の案内が表示される。
【０００５】
特許文献１〜３の検査支援画面は、いずれも、１つの検査部位に関する位置や方向の案内を表示している。
【先行技術文献】
【特許文献】
【０００６】
【特許文献１】特開２００５−１２４７１２号公報
【特許文献２】特開２００４−０１６２６８号公報
【特許文献３】特開２００８−０６８１３３号公報
【発明の概要】
【発明が解決しようとする課題】
【０００７】
近年、外傷の初期診断を迅速簡易に行うために、超音波検査装置を利用した迅速簡易超音波検査法が行われている。この迅速簡易超音波検査法は、ＦＡＳＴ（Focused Assessment with Sonography for Trauma）と呼ばれる。ＦＡＳＴは、心膜腔（心臓と心臓を覆う外膜の間）、左右肋間、モリソン窩（肝臓と右腎臓の間に存在する領域）、ダグラス窩（子宮と直腸の間に存在する腹膜腔の一部）、脾臓周囲の６か所の検査部位に対して超音波検査を実行し、腹部への外傷による大量血胸、腹腔内出血、心タンポナーデ（心臓と心膜の間に液体が大量に貯留することによって心臓の拍動が阻害された状態）などの有無を確認することを目的としており、６か所について液体貯留（出血）の有無を確認することにより、開腹手術の必要性などその後の治療方針を決定するための一次検査として行われる。
【０００８】
ＦＡＳＴは、一次検査に利用されるため、患者が受傷後できるだけ早期に行われることが好ましい。そのため、ＦＡＳＴは、事故現場や、救急車などの搬送車両で患者が事故現場から病院に搬送される搬送途中などに、救急隊員によって行われる場合がある。救急隊員は、医師ほど検査手技に習熟しているわけではないため、特許文献１〜３に検査支援装置は、救急隊員にとって有効である。
【０００９】
しかしながら、特許文献１〜３に記載の検査支援装置は、ＦＡＳＴのように、予め決められた複数の検査部位について連続して検査を行う場合には、使い勝手が悪く、改良の余地があった。
【００１０】
というのも、予め決められた複数の検査部位について連続して検査を行う場合においては、検査部位の位置を的確に案内することも重要であるが、それに加えて重要なのは、検査漏れの防止である。特に、救急医療の現場では、迅速な対応が要求されるため、検査漏れが生じやすく、検査漏れを防止する対策が求められていた。
【００１１】
特許文献１〜３の検査支援装置には、個々の検査部位に対する超音波プローブの当て方（位置や方向など）を案内する検査支援画面については記載されているが、検査漏れの防止という課題やその課題を解決するための構成について明示も示唆もされていない。
【００１２】
本発明は、上記課題を鑑みてなされたものであり、複数部位の連続検査を支援する検査支援装置において、検査漏れを防止することを目的としている。
【課題を解決するための手段】
【００１３】
上記目的を達成するために、本発明の検査支援装置は、医療検査を支援する検査支援装置において、予め決められた複数の検査部位について検査が実行されたか否かを表す実行状況の入力を受け付ける実行状況受付部と、人体の模式図であるシェーマ画像であり、複数の検査部位の位置がマークされたシェーマ画像と、シェーマ画像上の各検査部位のそれぞれに対応して設けられ、実行状況を表示する実行状況表示部とを有する検査支援画面をディスプレイに表示する表示制御部であり、実行状況受付部が受け付けた実行状況に基づいて実行状況表示部の表示内容を更新する表示制御部と、を備えている。
【００１４】
医療検査は、検査結果を出力する医療機器を用いて行われる医療検査であってもよい。
【００１５】
実行状況受付部は、実行状況として検査結果を受付可能であり、表示制御部は、複数の実行状況表示部のうち、検査が実行された検査部位に対応する実行状況表示部に、検査結果を表示するものでもよい。
【００１６】
実行状況表示部は、検査結果の表示の有無により、検査が実行されたか否かを表示するものでもよい。
【００１７】
表示制御部は、複数の実行状況表示部のうち、検査が実行されていない未検査の検査部位に対応する実行状況表示部に、未検査である旨の情報を表示するものでもよい。
【００１８】
複数の検査部位について実行する順番が決められている場合において、実行状況表示部には、順番を表す番号が表示されるものでもよい。
【００１９】
表示制御部は、複数の検査部位、及び複数の検査部位に対応する複数の実行状況表示部のすべてを一覧できる状態で検査支援画面をディスプレイに表示するものでもよい。
【００２０】
医療機器は、患者の体に接触させる超音波プローブを有し、超音波プローブが検出する信号に基づいて超音波画像を生成し、超音波画像を検査結果として出力することが可能な超音波検査装置であり、検査部位は、超音波プローブを接触させる部位であってもよい。
【００２１】
超音波検査装置を用いて、迅速簡易超音波検査法であるＦＡＳＴを行う際に使用してもよい。
【００２２】
複数の検査部位は、ＦＡＳＴにおいて、予め決められた、心膜腔、モリソン窩、右胸腔、脾周囲、左胸腔、ダグラス窩の６箇所であってもよい。
【００２３】
検査支援画面を所定の配信先に配信する配信部を設けてもよい。
【００２４】
所定の配信先から送信された検査に関する支援情報を受信する受信部を設けてもよい。
【発明の効果】
【００２５】
本発明は、検査部位がマークされたシェーマ画像と、各検査部位の検査が実行されたか否かを示す実行状況を表示する実行状況表示部とを有する検査支援画面を表示することにより、検査支援画面を一見して各検査部位が検査済みであるか未検査であるかが判明するようにしたので、検査漏れを防止できる。
【図面の簡単な説明】
【００２６】
【図１】医療検査支援システムの構成を示す概略図である。
【図２】検査支援装置の概略構成図である。
【図３】検査支援装置の機能説明図である。
【図４】検査支援画面の表示及び更新手順を示すフローチャートである。
【図５】初期状態の検査支援画面を示す説明図である。
【図６】更新後の検査支援画面を示す説明図である。
【図７】ストレージデバイスにヘルプ画面を格納した例を示す説明図である。
【図８】検査支援画面にヘルプボタンを配した例を示す説明図である。
【図９】ヘルプ画面の例を示す説明図である。
【図１０】管理センターに検査支援画面を送信し、管理センターから検査支援情報を受信するシステムの構成を示す説明図である。
【図１１】検査支援装置に通信部としての機能を付与した例を示す説明図である。
【図１２】管理センターからの遠隔操作により検査を行うシステムの構成を示す説明図である。
【図１３】検査支援画面に検査依頼ボタンを配した例を示す説明図である。
【発明を実施するための形態】
【００２７】
［第１実施形態］
図１において、医療検査支援システム１０は、超音波検査装置（医療機器）１２と、検査支援装置１４とを備えている。これら検査支援装置１４及び超音波検査装置１２は、例えば、救急車内に設置され、有線方式や無線方式により通信可能に接続されている。
【００２８】
超音波検査装置１２は、超音波プローブ１６と、本体１８とを有し、本体１８に超音波プローブ１６が接続されている。超音波プローブ１６の先端には、超音波トランスデューサ（ＵＴ）アレイ２０が設けられている。ＵＴアレイ２０は、本体１８によって制御され、本体１８から駆動信号が入力されると超音波を照射するとともに、照射した超音波の反射波を検出し、検出信号を本体１８に出力する。
【００２９】
本体１８は、操作部２２と、モニタ２４とを有し、操作部２２を操作することによって入力された操作指示に基づいてＵＴアレイ２０を駆動し、ＵＴアレイ２０から超音波を照射する。また、超音波の照射に伴ってＵＴアレイ２０から入力された検出信号に基づいて超音波画像を生成し、生成した超音波画像をモニタ２４に表示する。超音波の照射及び検出信号の出力は所定サイクル（例えば、１秒間に１０回）で繰り返され、超音波画像はこのサイクルに従って繰り返し生成されモニタ２４に更新表示される。
【００３０】
超音波検査装置１２では、先端が検査対象の部位を向くように超音波プローブ１６を被験者に押し当て、モニタ２４を参照しながら所望の超音波画像を得られるように超音波プローブ１６の位置や角度などを調整し、所望の超音波画像が得られた場合は、操作部２２を介して記録指示を入力する。記録指示が入力されると、このときに生成された超音波画像が本体１８の内部メモリ（図示せず）に記録されるとともに、検査支援装置１４に送信される。
【００３１】
なお、検査支援装置１４に超音波画像を送信するための専用の操作ボタンを操作部２２に設け、この操作ボタンの操作に応答して検査支援装置１４に超音波画像を送信してもよい。また、検査支援装置１４に送信する超音波画像は、静止画の形態に限定されず、連続して生成された複数枚の超音波画像からなる動画の形態であってもよい。
【００３２】
検査支援装置１４は、例えば、タブレット型のコンピュータであり、タッチパネル式のディスプレイ３０を備えている。検査支援装置１４は、ディスプレイ３０へのタッチ操作により各種操作指示の入力が可能な他、ディスプレイ３０に検査支援画面３２を表示したり、ディスプレイ３０に表示された検査支援画面３２を更新することによって複数部位に対して連続して実行される検査の支援を行う（図５、図６参照）。なお、本実施形態では、複数部位に対して連続して実行される検査がＦＡＳＴである例で説明を行う。
【００３３】
図２に示すように、検査支援装置１４は、パーソナルコンピュータやワークステーションといったコンピュータをベースに、オペレーティングシステムなどの制御プログラムや、コンピュータを検査支援装置１４として機能させるためのアプリケーションプログラム（ＡＰ）４０をインストールして構成される。
【００３４】
検査支援装置１４は、前述したディスプレイ３０の他、ストレージデバイス４２、メモリ４４、ＣＰＵ４６、通信Ｉ／Ｆ４８を備え、これらがデータバス５０を介して接続されている。ストレージデバイス４２は、例えば、ハードディスクドライブであり、検査支援装置１４の本体に内蔵された内部ストレージである。ストレージデバイス４２は、制御プログラムや、ＡＰ４０、並びに、検査支援画面３２を構成する各種画像やメッセージなどの表示用データが格納される。
【００３５】
メモリ４４は、ＣＰＵ４６が処理を実行するためのワークメモリである。ＣＰＵ４６は、ストレージデバイス４２に格納された制御プログラムをメモリ４４へロードして、プログラムに従った処理を実行することにより、コンピュータの各部を統括的に制御する。通信Ｉ／Ｆ４８は、超音波検査装置１２との間の伝送制御を行うインタフェースであり、検査支援装置１４は、通信Ｉ／Ｆ４８を介して超音波検査装置１２と通信する。
【００３６】
ＡＰ４０は、ＦＡＳＴの支援を行う支援機能をコンピュータに実行させるためのプログラムである。ＣＰＵ４６は、ストレージデバイス４２に格納されたＡＰ４０をメモリ４４へロードして、プログラムに従った処理を実行することにより、コンピュータの各部を統括的に制御する。
【００３７】
図３に示すように、ＡＰ４０が起動すると、ＣＰＵ４６は、メモリ４４と協働して、実行状況受付部５８、表示制御部６０として機能し、ＦＡＳＴを支援する支援処理を行う。支援処理において、実行状況受付部５８は、超音波検査装置１２から送られた超音波画像を受信し（超音波検査装置１２により得られた検査結果である超音波画像を、検査が実行されたか否かを示す実行状況として受け付け）、受信した超音波画像を表示制御部６０へ出力する。また、支援処理において、表示制御部６０は、検査支援画面３２をディスプレイ３０に表示させるとともに、超音波検査装置１２から送られた超音波画像に基づいて検査支援画面３２を更新する。
【００３８】
図４に示すように、ＡＰ４０の起動に伴って支援処理が開始されると、表示制御部６０は検査支援画面３２をディスプレイ３０に表示させる。ストレージデバイス４２には、検査支援画面３２のベースとなるベース画面６２（図３参照）が記憶されており、表示制御部６０は、ベース画面６２をストレージデバイス４２から読み出し、読み出したベース画面６２を初期状態の検査支援画面３２としてディスプレイ３０に表示させる。
【００３９】
図５に示すように、ＡＰ４０の起動に伴って最初に表示される初期状態の検査支援画面３２（すなわち、ベース画面６２）には、シェーマ画像７０、及び、実行状況表示部７２ａ〜７２ｆが配されている。シェーマ画像７０は、人体の解剖学的特徴を模式的に表した画像であり、ＦＡＳＴで検査すべき「心膜腔」、「モリソン窩」、「右胸腔」、「脾周囲」、「左胸腔」、「ダグラス窩」の６つの部位がハッチングによりマーキングされている。
【００４０】
各実行状況表示部７２ａ〜７２ｆは、ＦＡＳＴで検査すべき６つの部位のいずれかに対応しており、ベース画面６２ではこれらの対応関係を示すために、対応する部位と矢印の指標によって連結されている。また、各実行状況表示部７２ａ〜７２ｆには、それぞれ検査すべき順番を示す番号（１）〜（６）や、未検査であることを示す「未検査」のメッセージ、並びに、検査を行う際に検査支援画面３２において検査部位を指定するための検査部位指定ボタン７４が配されている。
【００４１】
図４に戻り、初期状態の検査支援画面３２を表示した後、表示制御部６０は、検査部位指定ボタン７４の操作待ち状態となる。そして、操作待ち状態中に検査部位指定ボタン７４が操作されると、操作された検査部位指定ボタン７４がいずれの実行状況表示部に設けられたものであるかを示す部位指定情報が、表示制御部６０に入力される。なお、検査部位指定ボタン７４を操作して検査部位を指定することに代えて、検査部位に対応する実行状況表示部に対してタッチすることによって検査部位を指定するなど、検査部位の指定方法については適宜変更できる。
【００４２】
表示制御部６０は、部位指定情報が入力されると超音波検査装置１２から送られる超音波画像の入力待ち状態へと移行する。そして、超音波検査装置１２から検査支援装置１４へ超音波画像が送られると、この超音波画像が実行状況受付部５８を介して表示制御部６０に入力される。表示制御部６０は、入力された超音波画像を、操作された検査部位指定ボタン７４が設けられた実行状況表示部に表示することによって検査支援画面３２を更新する。
【００４３】
例えば、図５に示す初期状態の検査支援画面３２が表示された状態で、「心膜腔」に対応する実行状況表示部７２ａの検査部位指定ボタン７４が操作された後、超音波検査装置１２から検査支援装置１４に超音波画像が送信されると、表示制御部６０は、初期状態の検査支援画面３２を、図６に示す検査支援画面３２へと更新する。この更新後の検査支援画面３２は、超音波検査装置１２から検査支援装置１４に送信された超音波画像が実行状況表示部７２ａに表示されたものである。
【００４４】
図４に戻り、表示制御部６０は、検査支援画面３２を更新した後、再び検査部位指定ボタン７４の操作待ち状態へと以降し、ＡＰ４０が終了されるまで、上述した手順で検査支援画面３２の更新を繰り返す。
【００４５】
このように、検査支援画面３２では、検査すべき部位がシェーマ画像７０に付されたハッチングによりマーキングされているので、検査すべき部位を一見して把握できる。また、検査支援画面３２では、検査済みの部位に対応する実行状況表示部には検査結果として超音波画像が表示され、未検査の部位に対応する実行状況表示部には未検査であることを示すメッセージが表示されるので、検査済みの部位と未検査の部位とを一見して把握できる。さらに、検査支援画面３２では、未検査の部位、すなわち、これから検査する部位に対応する実行状況表示部に、検査の順番を示す番号が付されているので、検査の順番についても一見して把握できる。
【００４６】
なお、検査支援画面３２の画像サイズについては自由に設定できるので、例えば、検査支援画面３２の画像サイズをディスプレイ３０の画面サイズよりも大きく設定し、検査支援画面３２をスクロールさせることによって検査支援画面３２全体を視認可能とするといったことも考えられる。ただし、この場合、検査支援画面３２の画像サイズによっては、各部位の検査状況（検査済みか未検査かなど）を一見して把握できなくなってしまう場合もある。このため、検査支援画面３２全体がディスプレイ３０の画面内に収まるように、検査支援画面３２の画像サイズをディスプレイ３０の画面サイズに合わせることが好ましい。こうすれば、全ての実行状況受付部が一覧できるので、各部位の検査状況を一見して把握できる。もちろん、ユーザーからの拡大／縮小操作を受け付け、拡大／縮小操作に基づいて検査支援画面３２を拡大／縮小表示してもよい。
【００４７】
［第２実施形態］
続いて、本発明の第２実施形態について図７〜図９を用いて説明を行う。なお、以降の説明では、上述した実施形態と同様の部材については同様の符号を付して説明を省略している。
【００４８】
図７に示すように、第２実施形態では、ストレージデバイス４２に、ベース画面６２に加えてヘルプ画面８０が記憶されている。ヘルプ画面８０は、ＦＡＳＴで検査すべき６つの部位に対応し、「心膜腔用ヘルプ画面」、「モリソン窩用ヘルプ画面」、「右胸腔用ヘルプ画面」、「脾周囲用ヘルプ画面」、「左胸腔用ヘルプ画面」、「ダグラス窩用ヘルプ画面」の６種類が設けられている。各ヘルプ画面８０は、対応する部位の検査を行う際の注意事項（超音波プローブ１６の位置や姿勢（ＵＴアレイ２０を向ける方向）など）を文字や図表、写真などにより解説したものである。
【００４９】
図８に示すように、第２実施形態では、検査支援画面３２の未検査の部位に対応する実行状況表示部に、検査部位指定ボタン７４に加えて、ヘルプボタン８２が設けられている。そして、第２実施形態では、ヘルプボタン８２が操作されると、操作されたヘルプボタン８２がいずれの実行状況表示部に設けられたものであるかを示す情報が、表示制御部６０に入力される。表示制御部６０は、この情報を受けると対応する部位のヘルプ画面８０をストレージデバイス４２から読み出して、ディスプレイ３０に表示させる。
【００５０】
例えば、図５に示す検査支援画面３２が表示された状態で、心膜腔に対応する実行状況表示部７２ａに設けられたヘルプボタン８２が操作されると、図９示すヘルプ画面８０がディスプレイ３０に表示される。
【００５１】
このように、検査すべき部位が一覧表示された検査支援画面３２において、参照したい部位に対応する実行状況表示部のヘルプボタン８２を操作することで、検査支援画面３２から直接各部位のヘルプ画面８０を表示できる。このため、例えば、参照したい部位の名称などを入力するなどしてヘルプ画面を検索し検索されたリストの中から表示するヘルプ画面を指定する場合と比較して、所望のヘルプ画面を簡単に表示できる。
【００５２】
なお、第２実施形態におけるヘルプ画面８０の表示態様は自由に設定できるので、例えば、ヘルプ画面８０を検査支援画面３２に重ねて表示するなどヘルプ画面８０と検査支援画面３２とを同時に表示してもよい。また、検査支援画面３２の代わりにヘルプ画面８０を表示するなどヘルプ画面８０と検査支援画面３２とのいずれか一方のみを表示してもよい。
【００５３】
［第３実施形態］
次に、本発明の第３実施形態について図１０、図１１を用いて説明を行う。
図１０に示すように、第３実施形態では、検査支援装置１４がインターネットやＬＡＮなどの通信ネットワーク９０を介して、管理センター９２と接続されている。管理センター９２は、例えば、地域医療を統括する総合病院などであり、検査支援装置１４は、通信Ｉ／Ｆ４８、及び、通信ネットワーク９０を介して管理センター９２との間で各種情報の送受信が可能となっている。
【００５４】
図１１に示すように、第３実施形態では、ＡＰ４０の起動に伴い、ＣＰＵ４６がメモリ４４と協働し、表示制御部６０及び通信部（配信部、受信部）１００として機能する。表示制御部６０は、前述のように検査支援画面３２の表示及び更新を行う他、このように検査支援画面３２の表示及び更新を行う毎に、表示または更新した検査支援画面３２を通信部１００に出力する。通信部１００は、表示制御部６０から入力された検査支援画面３２を、管理センター９２に配信する。
【００５５】
管理センター９２では、配信された検査支援画面３２を、管理センター９２内のモニタ（図示せず）に表示するなどして参照できる。また、管理センター９２では、配信された検査支援画面３２に基づくアドバイスなどの支援情報を検査支援装置１４に送信できる。通信部１００は、このようにして管理センター９２から送信された支援情報の受信も行う。なお、支援情報は、電子メールなど電子データの形態で送信されるものでもよいし、検査支援装置１４の有する音声通話機能を用いて音声通話により伝達されるものでもよい。
【００５６】
このように、第３実施形態では、検査支援装置１４と管理センター９２との両方で共通の検査支援画面３２を観察できるので、管理センター９２においてＦＡＳＴの進捗状況や、各部の検査結果をリアルタイムに把握できる。また、第３実施形態では、管理センター９２から検査支援装置１４に対してＦＡＳＴに関する支援情報を送信できるので、より充実した支援を行うことが可能である。
【００５７】
［第４実施形態］
続いて、本発明の第４実施形態について図１２、図１３を用いて説明を行う。
図１２に示すように、第４実施形態では、超音波検査装置１２が検査支援装置１４によって駆動制御される。超音波検査装置１２は、検査支援装置１４の制御のもと超音波プローブ１６から超音波を発生させ、発生させた超音波の反射波に基づいて超音波画像を生成し、生成した超音波画像を検査支援装置１４に対して送信する。
【００５８】
また、第４実施形態では、超音波プローブ１６がロボットアーム１１０の先端部に固定されている。ロボットアーム１１０は、基端部が所定位置（救急車の床など）に固定され、複数の関節を稼働させることによって超音波プローブ１６を所望の位置、姿勢へと移動できる。ロボットアーム１１０は、検査支援装置１４に接続され、検査支援装置１４により駆動制御されて作動する。
【００５９】
ロボットアーム１１０の先端には、カメラ１１２が取り付けられている。カメラ１１２もまた検査支援装置１４に接続されており、検査支援装置１４にコントロールされて撮影を行うとともに、撮影された画像を検査支援装置１４に出力する。
【００６０】
検査支援装置１４は、通信ネットワーク９０を介して管理センター９２に接続されており、カメラによって撮影された画像は、通信ネットワーク９０を介して検査支援装置１４から管理センター９２に送信される。管理センター９２には、超音波検査装置１２、及び、ロボットアーム１１０を操作するためのコントローラ（図示せず）が設けられている。コントローラを操作すると、管理センター９２から検査支援装置１４に対して操作信号が入力される。検査支援装置１４は、管理センター９２から送られた操作信号に基づいて超音波検査装置１２及びロボットアーム１１０を駆動制御する。
【００６１】
図１３に示すように、第４実施形態では、検査支援画面３２の未検査の部位に対応する実行状況表示部に、検査部位指定ボタン７４に加えて、検査依頼ボタン１２０が設けられている。そして、第４実施形態では、検査依頼ボタン１２０が操作されると、検査支援装置１４から管理センター９２に対して、操作された検査依頼ボタン１２０が設けられた実行状況表示部に対応する検査部位の検査依頼が送信される。
【００６２】
管理センター９２では、この検査依頼を受け付け、依頼された部位の検査を行う。具体的には、管理センター９２のオペレータ（医師など）が、検査支援装置１４から送られた画像（カメラ１１２によって撮影された画像）を観察しながらコントローラを操作することによってロボットアーム１１０及び超音波検査装置１２を制御して、超音波検査を行う。
【００６３】
なお、第４実施形態では、ロボットアーム１１０及び超音波検査装置１２を、管理センター９２のオペレータが遠隔操作することによって検査を行う例で説明をしたが、検査支援装置１４が、ロボットアーム１１０及び超音波検査装置１２を制御して自動で検査が行われるようにしてもよい。この場合、検査支援装置１４に、カメラ１１２により撮影された画像を解析する画像解析部と、画像解析部により得られた画像解析結果に基づいてロボットアーム１１０及び超音波検査装置１２を制御して検査を実行する検査実行部を設ければよい。
【００６４】
以上、本発明をＦＡＳＴの支援を行う検査支援装置に対して適用する例で説明をしたが、本発明はこれに限定されるものではない。本発明は、ＦＡＳＴ以外の検査であっても、複数部位について実行される一連の検査を支援する検査支援装置に対して広く適用できる。なお、上記実施形態ではＦＡＳＴ、すなわち、連続した超音波検査により得られる超音波画像を実行状況表示部に表示しているが、本発明をＦＡＳＴ以外の検査を支援する検査支援装置に対して適用する場合は、この検査によって得られた検査結果を実行状況表示部に表示すればよい。また、実行状況表示部に表示する情報（検査結果）は、画像に限定されず文字や数値であってもよい。
【００６５】
さらに、上記実施形態では、未検査の部位に対応する実行状況表示部に検査すべき順番と未検査であることを示すメッセージとを表示したが、これ以外にも、例えば、未検査の部位に対応する実行状況表示部の一部または全部を着色したり、点滅させることによって未検査であることを強調してもよい。さらに、各部位の検査順が定められている場合、次に検査すべき部位に対応する実行状況表示部を強調し、他の未検査の部位に対応する実行状況表示部と識別可能にしてもよい。
【００６６】
また、未検査の部位に対応する実行状況表示部への表示は任意であるので、何も表示しない黒ベタ領域としてもよい。こうしても、検査済みの実行状況表示部には検査結果が表示されるので、各部位が検査済みか否かを識別できる。本発明は、検査済みの部位に対応する実行状況表示部と未検査の部位に対応する実行状況表示部とが識別可能に表示されていればよいので、各実行状況表示部の具体的な表示態様については適宜変更できる。
【符号の説明】
【００６７】
１０  医療検査支援システム
１２  超音波検査装置（医療機器）
１４  検査支援装置
１６  超音波プローブ
３０  ディスプレイ
３２  検査支援画面
４０  ＡＰ
５８  実行状況受付部
６０  表示制御部
７０  シェーマ画像
７２ａ〜７２ｆ  実行状況表示部
７４  検査部位指定ボタン
８０  ヘルプ画面
８２  ヘルプボタン
９０  通信ネットワーク
９２  管理センター
１００  通信部（配信部、受信部）
１１０  ロボットアーム
１１２  カメラ
１２０  検査依頼ボタン
【図１】
2015029619.tif 000003
【図２】
2015029619.tif 000004
【図３】
2015029619.tif 000005
【図４】
2015029619.tif 000006
【図５】
2015029619.tif 000007
【図６】
2015029619.tif 000008
【図７】
2015029619.tif 000009
【図８】
2015029619.tif 000010
【図９】
2015029619.tif 000011
【図１０】
2015029619.tif 000012
【図１１】
2015029619.tif 000013
【図１２】
2015029619.tif 000014
【図１３】
2015029619.tif 000015